(57)【要約】【課題】無線端末を新たに設置する場合、無線端末間の通信の信頼性の高い複数ルートとなる場所への無線端末の設置可否を、設置場所にて容易に判断することができる無線通信ネットワークを得る。【解決手段】計測装置４、４０が計測するデータを無線送信する無線端末５、５０と、この無線端末から送信される計測データを中継する無線移動中継端末７、７０と、データ送受信を行う無線ホスト６と、この無線ホストと接続された管理サーバ２で構成された無線通信ネットワークで、この無線通信ネットワークに新たに無線移動中継端末７１が設置されたときに、管理サーバ２は、新たな通信ルート情報を演算して新たな端末７１に送信し、新たな端末７１は、管理サーバ２から受信した自分の通信ルート情報及び無線端末５、５０または無線移動中継端末７、７０の通信ルート情報の両方を表示する。【選択図】図７
2009260695.tif 000002
【特許請求の範囲】
【請求項１】
固定配置された計測装置に設置され、前記計測装置が計測するデータを無線送信する無線端末と、前記無線端末から送信される計測データを中継する無線移動中継端末と、前記無線端末または前記無線移動中継端末とデータ送受信を行う無線ホストと、前記無線ホストと接続され、前記無線端末または前記無線移動中継端末との通信ルート情報を管理する管理サーバで構成された無線通信ネットワークであって、前記無線通信ネットワークに新たに無線端末または新たに無線移動中継端末が設置されたときに、前記管理サーバは、新たな通信ルート情報を演算して前記新たに設置された無線端末または前記新たに設置された無線移動中継端末に送信し、前記新たに設置された無線端末または前記新たに設置された無線移動中継端末は、前記管理サーバから受信した自分の通信ルート情報及び前記無線端末または前記無線移動中継端末の通信ルート情報の両方を表示することを特徴とする無線通信ネットワーク。
【請求項２】
前記管理サーバは、前記新たに設置された無線端末または前記新たに設置された無線移動中継端末と前記無線端末または前記無線移動中継端末との間の電界強度情報及び前記管理サーバ内に記憶された前記無線ホスト、前記無線端末、または前記無線移動中継端末の通信ルート情報に基づいて新たな通信ルート情報を演算することを特徴とする請求項１に記載の無線通信ネットワーク。
【発明の詳細な説明】
【技術分野】
【０００１】
この発明は、電気通信技術に係り、特にアドホックネットワークにおいてデータを伝送する無線装置を備えた無線通信ネットワークに関するものである。
【背景技術】
【０００２】
従来の無線通信ネットワークは端末装置だけで構成されるネットワークであり、端末装置は互いに対等に通信を実行し、アクセスポイント等の無線通信基盤が無い環境下でも無線端末間の通信を繰り返すことにより、目的とする無線端末やインターネット接続点との通信を実現することができるものである。
【０００３】
上記のシステムにおいては、データパケットと同じ通信経路により情報を収集するため、ネットワークが切断された場合に通信経路が確保できず、無線端末の状態等を視覚的に表示することができない。また、設置段階では通信経路が構築されていないため、これらの機能を利用できない。そのため、アドホックモードでの通信が可能な無線端末に、論理ネットワーク上の隣接端末の無線レベルを検知する無線レベル検知部、及び無線レベル検知部の検知結果より、アドホックモードによる通信が可能な隣接端末の数を示す情報を自機に搭載された表示デバイスに表示させる隣接端末数表示制御部を搭載させていた。（例えば、特許文献１  図１１参照）
【０００４】
【特許文献１】特開２００７−１０４５３６号公報
【発明の開示】
【発明が解決しようとする課題】
【０００５】
従来の無線通信ネットワークは以上のように構成されており、自端末の周辺の無線端末数とその無線状態、及び目的の端末までの通信の到達可否は判断できるが、目的の端末と自端末間の通信ルートが複数確保されているとは限らず、通信ルートのホップ数が多くなる場合があるため、目的端末への通信信頼性が低く、応答性の良いルート設置可否の判断ができないという問題があった。
【０００６】
この発明は、上記のような課題を解決するためになされたもので、無線端末を新たに設置する場合において、無線端末間の通信の信頼性の高い複数ルートとなる場所への無線端末の設置可否を、設置場所にて容易に判断することができる無線通信ネットワークを得ようとするものである。
【課題を解決するための手段】
【０００７】
この発明に係る無線通信ネットワークは、
固定配置された計測装置に設置され、前記計測装置が計測するデータを無線送信する無線端末と、前記無線端末から送信される計測データを中継する無線移動中継端末と、前記無線端末または前記無線移動中継端末とデータ送受信を行う無線ホストと、前記無線ホストと接続され、前記無線端末または前記無線移動中継端末との通信ルート情報を管理する管理サーバで構成されたものであって、前記無線通信ネットワークに新たに無線端末または新たに無線移動中継端末が設置されたときに、前記管理サーバは、新たな通信ルート情報を演算して前記新たに設置された無線端末または前記新たに設置された無線移動中継端末に送信し、前記新たに設置された無線端末または前記新たに設置された無線移動中継端末は、前記管理サーバから受信した自分の通信ルート情報及び前記無線端末または前記無線移動中継端末の通信ルート情報の両方を表示することを特徴とするものである。
【発明の効果】
【０００８】
この発明は以上説明したように、新たに設置した無線端末または無線移動中継端末にあらかじめ管理サーバに設定したルート算出条件に基づいて算出された自端末の通信ルート数と、新たに設置した無線端末または無線移動中継端末の影響で通信ルート数及びそのルートにおける通信品質に更新が生じた無線端末または無線移動中継端末の更新情報を表示させることにより、無線端末または無線移動中継端末を新たに設置したことによる既設置の無線端末または無線移動中継端末の通信ルートの数や通信品質の影響を設置場所で確認することができ、信頼性の高い複数ルートとなる場所への設置可否判断を設置場所にて容易に判断することができる効果がある。
【発明を実施するための最良の形態】
【０００９】
実施の形態１．
図１は、この発明の実施の形態１における無線通信ネットワークの構成図、図２は、図１の管理サーバの構成を示すブロック図、図３は、図１の無線ホストの構成を示すブロック図、図４は、図１の無線移動中継端末の構成を示すブロック図、図５は、図１の無線端末の構成を示すブロック図である。
【００１０】
図１において、本実施の形態１に係る無線通信ネットワークは、ＬＡＮ（Local Area Network）１に接続された管理サーバ２及び管理者パソコン３と、電力量などを計測する計測装置Ａ４及び計測装置Ｂ４０にそれぞれ接続され、これら計測装置４、４０が計測した計測データを検針（収集）する無線端末Ａ５及び無線端末Ｂ５０と、これらの無線端末５、５０が収集した計測データを中継し、管理サーバ２に接続されている無線ホスト６に送信する無線移動中継端末Ａ７及び無線移動中継端末Ｂ７０により構成されている。
【００１１】
前記管理サーバ２は、図２に示すように、管理サーバ２の全ての機能を制御する中央制御部２ａと、無線ホスト６と通信を行うためのシリアル入出力部２ｂ及びシリアル送受信部２ｃと、ＬＡＮ１を経由して管理者パソコン３と通信行うためのＬＡＮ入出力部２ｄ及びＬＡＮ送受信部２ｅと、このＬＡＮ送受信部２ｅと前記シリアル送受信部２ｃの通信制御を行う通信制御部２ｆを備えている。
【００１２】
また、管理サーバ２は、無線端末５、５０及び無線移動中継端末７、７０と無線ホスト６との間の通信ルートの算出条件の設定値や無線端末５、５０及び無線移動中継端末７、７０の通信ルート情報と無線端末５、５０及び無線移動中継端末７、７０にて取得した電界強度などの接続情報を記憶する記憶装置２ｇと、通信ルート情報と接続情報を中央制御部２ａから記憶装置２ｇに読み出しや書き込みを行うためのデータ読出書込部２ｈと、通信ルート情報と接続情報から無線端末５、５０及び無線移動中継端末７、７０の通信ルートを算出するための演算処理部２ｉと、この演算処理部２ｉによる演算処理結果を管理者パソコン３に表示するための表示内容を生成する表示データ生成部２ｊと、無線端末５、５０及び無線移動中継端末７、７０の全ての接続情報を定期的に収集するためのタイマ部２ｋとを備えている。これらデータ読出書込部２ｈ、演算処理部２ｉ、表示データ生成部２ｊ、タイマ部２ｋは中央制御部２ａにより制御される。
【００１３】
前記無線ホスト６は、図３に示すように、無線端末５、５０または無線移動中継端末７、７０との無線通信を行うアンテナ６ａと、無線端末５、５０または無線移動中継端末７、７０間の送受信の電界強度を測定する電界強度測定部６ｂを有すると共に、アンテナ６ａを介して無線端末５、５０または無線移動中継端末７、７０と通信する無線部６ｃと、無線Ｉ／Ｆ（インターフェース、以下同じ）部６ｄと、アンテナ６ａ及び無線部６ｃを介して無線ネットワークを生成し、全ての無線端末５、５０または無線移動中継端末７、７０のアドレス割当と登録及び管理をする無線ネットワーク制御部６ｅと、データをアドレスに基づいて無線端末５、５０または無線移動中継端末７、７０へ送信するためのルーテ
ィングテーブル６ｆと、送受信のデータを処理するアプリケーション部６ｇと、管理サーバ２と通信を行うためのシリアル入出力部６ｈ及びシリアル通信制御部６ｉで構成されている。
【００１４】
以上のように構成された無線ホスト６は、管理サーバ２から、シリアル入出力部６ｈとシリアル通信制御部６ｉを経由して計測値を収集する要求データを受信し、受信した要求データをアプリケーション部６ｇで処理する。そして、処理した要求データを、無線ネットワーク制御部６ｅへ転送し、管理サーバ２によって指定された宛先の無線端末５、５０または無線移動中継端末７、７０へ、ルーティングテーブル６ｆに基づいて、無線Ｉ／Ｆ部６ｄ、無線部６ｃ及びアンテナ６ａを介して送信する。
【００１５】
前記無線移動中継端末Ａ７は、図４に示すように、無線ホスト６及び無線端末５、５０または他の無線移動中継端末Ｂ７０と無線通信を行うアンテナ７ａと、無線ホスト６及び無線端末５、５０または他の無線移動中継端末B７０との間の電波の強さである電界強度
を測定する電界強度測定部７ｂを有する無線部７ｃと、無線Ｉ／Ｆ部７ｄと、無線ホスト６及び無線端末５、５０または他の無線移動中継端末Ｂ７０へのデータをアドレスに基づいて中継するためのルーティングテーブル７ｅと、データ中継処理部７ｆと、周辺の無線ホスト６及び無線端末５、５０または無線移動中継端末７、７０間の電界強度などの接続情報を保持する隣接端末情報テーブル７ｇと、定期的に前記接続情報を取得するためのタイマ部７ｈと、管理サーバ２より受信した通信ルート情報などの自己宛データ処理機能を有するアプリケーション部７ｉと、このアプリケーション部７ｉで処理された自己の通信ルート情報を表示する表示部７ｊと、接続モニタと通信を行うためのシリアル入出力部７ｋと、シリアル通信制御部７ｌで構成されている。
【００１６】
以上のように構成された無線移動中継端末A７は、アンテナ７ａ及び無線部７ｃを介し
て無線端末５、５０または他の無線移動中継端末Ｂ７０とデータ送受信を行う。受信したデータは、データ中継処理部７ｆにおいて自己宛あるいは自己以外宛かを判断し、自己宛であれば、アプリケーション部７ｉへ転送、処理（例えば、周辺電界強度情報データ要求であれば、周辺にある端末間の電界強度を測定する）する。自己宛以外の受信データは、データ中継処理部７ｆへ転送し、ルーティングテーブル７ｅに基づいて無線Ｉ／Ｆ部７ｄ、無線部７ｃ、アンテナ７ａを介して送信する。ルーティングテーブル７ｅは、受信したデータの宛先である最終宛先端末アドレスと周辺にある直接通信可能な次宛先アドレスとを対比したテーブルであり、データ中継処理部７ｆは、受信したデータが、自己宛以外であれば、このテーブルに基づいて最終宛先端末アドレスに対応した次宛先端末アドレスへ無線Ｉ／Ｆ部７ｄ、無線部７ｃ、アンテナ７ａを介してデータ送信を行う。タイマ部７ｈは、所定時間経過をアプリケーション部７ｉへ通知し、このタイミングで無線部７ｃ内の電界強度測定部７ｂが周辺の無線端末５、５０または無線移動中継端末７、７０間の電界強度測定を行い、測定された結果が隣接端末情報テーブル７ｇへ格納される。
【００１７】
前記無線端末A５は、図５に示すように、無線ホスト６及び無線移動中継端末７、７０
または他の無線端末B５０との無線通信用のアンテナ５ａと、無線ホスト６及び無線移動
中継端末７、７０または他の無線端末B５０間の電界強度を測定する電界強度測定部５ｂ
を有する無線部５ｃと、無線Ｉ／Ｆ部５ｄと、無線ホスト６及び他の無線端末Ｂ５０または他の無線移動中継端末７、７０へデータをアドレスに基づいて中継するためのルーティングテーブル５ｅと、データ中継処理部５ｆと、周辺の無線ホスト６及び無線端末Ｂ５０または無線移動中継端末７、７０間の電界強度などの接続情報を保持する隣接端末情報テーブル５ｇと、定期的に前記接続情報を有するアプリケーション部５ｈと、計測装置４と通信を行うためのシリアル入出力部５ｉ及びシリアル通信制御部５ｊと、タイマ部５ｋで構成される。
【００１８】
以上のように構成された無線端末Ａ５は、無線移動中継端末７、７０と同様に、前記アンテナ５ａ及び無線部５ｃを介して他の無線端末Ｂ５０または無線移動中継端末７、７０とデータ送受信を行う。受信したデータは、データ中継処理部５ｆにおいて自己宛データあるいは自己以外宛データかが判断され、自己宛データであれば、アプリケーション部５ｈへ転送される。計測装置のデータ要求であれば、シリアル通信制御部５ｊとシリアル入出力部５ｉを介して、計測装置A４と通信を行い、取得したデータはデータ中継処理部５
ｆへ転送される。データ中継処理部５ｆは、ルーティングテーブル５ｅに基づいて、取得したデータを無線Ｉ／Ｆ部５ｄ、無線部５ｃを介して管理サーバ２へ送信する。その他の動作については、無線移動中継端末Ａ７と同様である。
【００１９】
なお、無線移動中継端末Ｂ７０及び後述する無線移動中継端末C７１は前記無線移動中
継端末Ａ７と同一構成であり、また、無線端末Ｂ５０は前記無線端末Ａ５と同一構成である。
【００２０】
図６は、本実施の形態におけるシステム全体の流れを説明するためのフローチャート、図７は、無線移動中継端末Ｃ７１を新たに設置した場合のシステム構成図、図８は、管理サーバ２に設定する区間通信品質の設定例を示す図、図９は、通信ルートがない場合の自端末のＬＥＤの表示例を示す図、図１０は、通信ルートが１本の場合の自端末のＬＥＤの表示例を示す図、図１１は、通信ルートが３本以上の場合の自端末のＬＥＤの表示例を示す図、図１２は、新たに設置された無線端末及び無線移動中継端末に接続された接続モニタの表示例を示す図である。
【００２１】
図７は無線移動中継端末Ｃ７１を新たに設置した無線通信ネットワークを示しており、無線移動中継端末Ｃ７１以外は図１と同じである。無線移動中継端末Ｃ１７の構成は、無線端末Ａ７及び無線移動中継端末Ｂ７０と同じである。
【００２２】
管理サーバ２に設定される区間通信品質の設定値例を示す図８において、区間通信品質とは、ある一定の範囲の電界強度に対応したランクのことであり、例えば、電界強度が−７０ｄＢｍ以上の通信ルートにはランク１を設定する。
【００２３】
次に、図７に示すように、新たな無線移動中継端末Ｃ７１が設置された無線通信ネットワークの動作について、図６を用いて説明する。なお、動作説明において、最大ホップ数とは、無線端末に通知する管理サーバ２までの通信ルートの算出条件を設定する値のことであり、例えば、最大ホップ数を３に設定した場合、４以上のホップ数のルートが構築されても無線端末には通知しないものである。また、通信ルートの通信品質とは、無線端末５、５０または無線移動中継端末７、７０、７１に通知する管理サーバ２までの通信ルートの区間通信品質の合計であり、例えば、通信ルートの通信品質を５に設定した場合、管理サーバ２から無線端末５、５０または無線移動中継端末７、７０、７１の間の各通信ルートの通信品質の合計が６以上のルートが構築されても、無線端末５、５０または無線移動中継端末７、７０、７１には通知しないものである。
【００２４】
最初に、管理者（図示しない）は管理者パソコン３から管理サーバ２に区間通信品質、最大ホップ数、及び通信ルートの通信品質を設定する（Ｓｔｅｐ１）。次に、新たに無線移動中継端末Ｃ７１を設置する（Ｓｔｅｐ2）。無線移動中継端末Ｃ７１は、新たに設置
されると、まず、親機となる無線ホスト６を見つけ、参入動作を行う（Ｓｔｅｐ３）。
【００２５】
無線ホスト６は、無線移動中継端末７１が参入動作を行うと、管理サーバ２に対して無線移動中継端末Ｃ７１のネットワークアドレスを通知する（Ｓｔｅｐ４）。管理サーバ２は、無線ホスト６から新たに設置された無線移動中継端末Ｃ７１のネットワークアドレスの通知を受けると、無線ホスト６を介して、無線移動中継端末Ｃ７１に無線移動中継端末
Ｃ７１と周囲の無線端末５、５０及び無線移動中継端末７、７０の間の電界強度情報を要求する電文を送信する（Ｓｔｅｐ５、６）。
【００２６】
無線移動中継端末Ｃ７１は、管理サーバ２からの電界強度情報を要求する電文を受信すると、無線移動中継端末Ｃ７１と周囲の無線端末５、５０及び無線移動中継端末７、７０の間の電界強度を測定する（Ｓｔｅｐ７）。そして、無線移動中継端末Ｃ７１は、測定した電界強度情報を無線ホスト６を介して管理サーバ２に送信する（Ｓｔｅｐ８、９）。
【００２７】
無線中継端末Ｃ７１からの電界強度情報を取得した管理サーバ２は、無線移動中継端末Ｃ７１から送られてきた電界強度情報と、管理サーバ２の記憶装置２ｇに記憶された無線端末５、５０及び無線移動中継端末７、７０の通信ルート情報から、無線端末５、５０及び無線移動中継端末７、７０、７１の通信ルートを、管理サーバ２に設定された区間通信品質、最大ホップ数、及び通信ルートに基づいて算出する（Ｓｔｅｐ１０）。管理サーバ２は、通信ルート情報を算出すると、それを無線ホスト６を介して無線移動中継端末Ｃ７１に送信する（Ｓｔｅｐ１１、１２）。
【００２８】
次に、管理サーバ２は、算出した通信ルートと、管理サーバ２の記憶装置２ｇに記憶されていた無線端末５、５０及び無線移動中継端末７、７０の通信ルートを比較する（Ｓｔｅｐ１３）。管理サーバ２は、比較した通信ルートに差異があった場合、記憶していた通信ルートを更新し差異があった場合に新たな通信ルート情報を演算し、無線ホスト６を介して無線端末５、５０及び無線移動中継端末７、７０、７１に対して送信する（Ｓｔｅｐ１４、１５）。
【００２９】
管理サーバ２から通信ルートを受信した無線端末５、５０及び無線移動中継端末７、７０、７１は、自端末の通信ルート情報を表示部に表示する。図９、図１０、図１１は、自端末の通信ルート情報を表すＬＥＤの表示の一例を示している。図９は通信ルートがない場合、図１０は通信ルートが１本の場合、図１１は通信ルートが３本以上の場合を示す。ＬＥＤは通信ルートのルート数を表す。通信ルートがない場合は全消灯、通信ルートが１本の場合はＬＥＤがひとつ点灯、２本の場合はＬＥＤが二つ点灯、３本以上の場合はＬＥＤが全点灯する。
【００３０】
また、無線端末５、５０及び無線移動中継端末７、７０、７１に接続モニタ８が接続されている場合は、通信ルート情報に変更があった無線端末５、５０及び無線移動中継端末７、７０の通信ルート情報を、接続モニタ８に表示する（Ｓｔｅｐ１６）。
【００３１】
図１２において、新たに設置された無線移動中継端末Ｃ７１の接続モニタ８には、更新された無線端末Ａ５、無線端末Ｂ５０の更新された通信ルートの本数と更新されたルートの通信品質を表示する。なお、ネットワークアドレス（１）は無線端末Ａ５の、また、ネットワークアドレス（２）は無線端末Ｂ５０のアドレスをそれぞれ示し、無線端末Ａ５の場合は新たに無線移動中継端末Ｃ７１が設置されたことにより、通信ルートが２本から３本に増加し、通信品質が３に向上したことを示している。また、同様に、無線端末Ｂ５０の場合は新たに無線移動中継端末Ｃ７１が設置されたことにより、通信ルートが２本から３本に増加し、通信品質が４に向上したことを示していることから、無線移動中継端末Ｃ７１を設置したことにより通信信頼性が高く応答性の良いルート設置ができたことが判断できる。
【００３２】
以上説明したように、本実施の形態１による無線通信ネットワークは、固定配置された計測装置４、４０に設置され、計測装置４、４０が計測するデータを無線送信する無線端末５、５０と、これらの無線端末５、５０から送信される計測データを中継する無線移動中継端末７、７０と、無線端末５、５０及び無線移動中継端末７、７０とデータ送受信を
行う無線ホスト６と、無線ホスト６と接続され無線端末５、５０及び無線移動中継端末７、７０との通信ルートを管理する管理サーバ２とで構成されるシステムであって、無線移動中継端末Ｃ７１が新たに設置された場合、新たに設置された無線移動中継端末Ｃ７１の電界強度情報と既設置の通信ルート情報から新たな通信ルートを算出・通知する手段と、新たに設置された無線移動中継端末Ｃ７１に、管理サーバ２より受信した自端末の通信ルート情報と自端末設置によって通信ルートが更新された無線端末５、５０または無線移動中継端末７、７０の情報を表示する手段を備えているので、自端末の通信ルート及び自端末が設置されたことによる他の端末の通信ルート変更情報の両方を、設置した場所で表示させるので、信頼性の高い複数ルートとなる場所への設置可否判断を、設置場所にて容易に判断することができる。
【００３３】
なお、上記の説明では管理サーバ２と無線ホスト６を別の構成にしたが、管理サーバ２が無線ホスト６の機能を含む構成にしてもよい。また、上記の説明では無線移動中継端末Ｃ７１が新たに設置された場合の構成を説明したが、ここで、新たに、というのは、無線移動中継端末７または７０が、一度電源を切って、再度電源を入れた場合も含む。また、上記の説明では無線移動中継端末７、７０があらかじめ設置されている構成にしたが、無線移動中継端末７、７０が設置されていない状態で無線移動中継端末Ｃ７１が設置された場合の構成にしてもよい。また、上記の説明では管理者がＬＡＮ１を介して管理者パソコン３から管理サーバ２に設定する構成にしたが、管理者が管理サーバ２に直接設定してもよく、上記いずれも本願発明に含まれる。
【図面の簡単な説明】
【００３４】
【図１】この発明の実施の形態１に係る無線通信ねとワークの構成を示すブロック図である。
【図２】実施の形態１における管理サーバの構成を示すブロック図である。
【図３】実施の形態１における無線ホストの構成を示すブロック図である。
【図４】実施の形態１における無線移動中継端末無線端末の構成を示すブロック図である。
【図５】実施の形態１における無線端末の構成を示すブロック図である。
【図６】実施の形態１における動作を説明するためのフローチャートである。
【図７】無線移動中継端末を新たに設置した場合のネットワークの構成を示すブロック図である。
【図８】管理サーバに設定する区間通信品質の設定例を示す図である。
【図９】通信ルートがない場合の自端末のＬＥＤの表示例を示す図である。
【図１０】通信ルートが１本の場合の自端末のＬＥＤの表示例を示す図である。
【図１１】通信ルートが３本以上の場合の自端末のＬＥＤの表示例を示す図である。
【図１２】接続モニタの表示例を示す図である。
【符号の説明】
【００３５】
１  ＬＡＮ、
２  管理サーバ、２ａ  中央制御部、２ｂ  シリアル入出力部、
２ｃ  シリアル送受信部、２ｄ  ＬＡＮ入出力部、２ｅ  ＬＡＮ送受信部、
２ｆ  通信制御部、２ｇ  記憶装置、２ｈ  データ読出書込部、２ｉ  演算処理部、
２ｊ  表示データ生成部、２ｋ  タイマ部、
３  管理者パソコン、
４  計測装置Ａ、４０  計測装置Ｂ、
５  無線端末Ａ、５０  無線端末Ｂ、５ａ  アンテナ、５ｂ  電界強度測定部、
５ｃ  無線部、５ｄ  無線Ｉ／Ｆ部、５ｅ  ルーティングテーブル、
５ｆ  データ中継処理部、５ｇ  隣接端末情報テーブル、５ｈ  アプリケーション部、
５ｉ  シリアル入出力部、５ｊ  シリアル通信制御部、５ｋ  タイマ部、
５ｌ  表示部、
６  無線ホスト、６ａ  アンテナ、６ｂ  電界強度測定部、６ｃ  無線部、
６ｄ  無線Ｉ／Ｆ部、６ｅ  無線ネットワーク制御部、６ｆ  ルーティングテーブル、
６ｇ  アプリケーション部、６ｈ  シリアル入出力部、６ｉ  シリアル通信制御部、
７  無線移動中継端末Ａ、７０  無線移動中継端末Ｂ、７ａ  アンテナ、
７ｂ  電界強度測定部、７ｃ  無線部、７ｄ  無線Ｉ／Ｆ部、
７ｅ  ルーティングテーブル、７ｆ  データ中継処理部、
７ｇ  隣接端末情報テーブル、７ｈ  タイマ部、７ｉ  アプリケーション部、
７ｊ  表示部、７ｋ  シリアル入出力部、７ｌ  シリアル通信制御部、
８  接続モニタ。
【図１】
2009260695.tif 000003
【図２】
2009260695.tif 000004
【図３】
2009260695.tif 000005
【図４】
2009260695.tif 000006
【図５】
2009260695.tif 000007
【図６】
2009260695.tif 000008
【図７】
2009260695.tif 000009
【図８】
2009260695.tif 000010
【図９】
2009260695.tif 000011
【図１０】
2009260695.tif 000012
【図１１】
2009260695.tif 000013
【図１２】
2009260695.tif 000014